(57)【要約】    【課題】釣竿の仕様及びサイズと無関係に、後端部の確実な防水及び防塵が達成された釣竿の提供。    【解決手段】この釣竿２０では、元節２９の外径寸法とグリップ２２の後端外径寸法ｄ３との差は大きい。グリップ２２の後端に尻栓２３が装着されている。尻栓２３は、軸部３４と頭部３５とを有する。軸部３４の外径寸法と頭部３５の外径寸法との差は、元節２９の外径寸法とグリップ２２の後端外径寸法ｄ３との差に対応している。軸部３４にシール部材３３が装着されている。シール部材３３によって、頭部３５の軸部側端面３８と軸部３４の根本部分が覆われている。シール部材３３は、グリップ２２と尻栓２３との隙間を埋める。【選択図】図２
2005245371.tif 000002
【特許請求の範囲】
【請求項１】
少なくとも後端部が筒状に形成された釣竿本体と、
釣竿本体の後端にシール部材を介して装着された栓部材とを有する釣竿であって、
上記栓部材は、上記後端部に嵌め込まれる軸部と、当該軸部よりも大径に形成された頭部とを有し、
上記シール部材は、上記軸部に外嵌される筒状部と、当該筒状部に連続して上記頭部の上記軸部側端面を覆うフランジ部とを有する釣竿。
【請求項２】
釣竿本体と、
釣竿本体の後端部に設けられたグリップと、
グリップの後端に嵌め込まれたスリーブと、
スリーブの後端にＯリングを介して装着された栓部材とを備え、
当該栓部材は、スリーブの後端に嵌め込まれ、外径寸法がスリーブの後端外径寸法よりも１ｍｍ〜３ｍｍ小さく設定された軸部と、外径寸法がグリップの後端外径寸法と略一致された頭部とを有し、
上記スリーブの後端外径寸法は、上記グリップの後端外径寸法よりも１ｍｍ〜３ｍｍ小さく設定されている釣竿。
【請求項３】
上記スリーブは、上記釣竿本体の後端を位置決めする位置決め部を備えている請求項２に記載の釣竿。
【発明の詳細な説明】
【技術分野】
【０００１】
本発明は、釣竿の構造に関するものである。
【背景技術】
【０００２】
図６は、従来の一般的な釣竿の正面図である。一般に釣竿１は、細長円筒状に形成された「節」と称される部材を複数備えており、これらが長手方向に沿って継がれることによって構成されている。同図が示す釣竿１は磯釣り用のものであって、第１番節２〜第５番節６を備えている。各節２〜６は振出式に組み立てられており、第５番節６には、釣用リールが装着されるリールシート部７が設けられている。なお、この釣竿１は中通しタイプであり、釣用リールから繰り出される釣糸は、釣糸導入部８から釣竿１の内部に挿通されるようになっている。
【０００３】
図７は、釣竿１の要部拡大断面図であり、釣竿１の後端部の構造が図示されている。各節２〜６が筒状に形成されていることから、通常、釣竿１の後端には尻栓９が取り付けれる（例えば、特許文献１参照）。同図が示すように、尻栓９は、軸部１０及び頭部１１を備えている。軸部１０には雄ねじ１２が形成されており、第５番節６の後端部の内壁面には雌ねじ部１３が形成されている。そして、尻栓９の軸部１０が上記雌ねじ部１３と螺合することによって、当該尻栓９が釣竿１に装着されている。また、尻栓９と第５番節６との間には、両者間の防水及び尻栓９の緩みを防止するために、Ｏリング１４が取り付けられている。
【０００４】
【特許文献１】特開２００１−６１３７９号
【発明の開示】
【発明が解決しようとする課題】
【０００５】
ところで、釣竿の仕様によっては、釣竿を構成する節がきわめて細径に形成される場合がある。典型的には、毛針のキャストを目的とする渓流用釣竿等である。図８は、渓流用釣竿の要部拡大断面図である。
【０００６】
このような渓流用の釣竿１４では、釣人が当該釣竿１４を把持しやすいようにグリップ１５が設けられる。グリップ１５の外形形状は、略紡錘形状に形成されることが多い。また、グリップ１５は筒状に形成され、その内径寸法は、釣竿１４を構成する節１６の外径寸法に対応されている。したがって、節１６は、隙間なくグリップ１５の内部に挿通され、両者が互いに固着される。
【０００７】
この場合、尻栓１７は、グリップ１５の後端に装着されるが、節１６の外径寸法が小さいために、グリップ１５の内径寸法と外径寸法とが大きく異なる。このため、尻栓１７がＯリング１８を介してグリップ１５に装着されると、グリップ１５の後端と尻栓１７との間に、当該Ｏリング１８の肉厚寸法ｔに対応する隙間が生じる。そして、この隙間に水やゴミ等が入り込んでしまうという問題が起こる。
【０００８】
そこで、本発明の目的は、釣竿を構成する節のサイズ及び釣竿のグリップのサイズにかかわらず、釣竿の後端部の確実な防水及び防塵を実現する釣竿を提供することである。
【課題を解決するための手段】
【０００９】
(1) 上記目的が達成されるため、本発明に係る釣竿は、少なくとも後端部が筒状に形成された釣竿本体と、釣竿本体の後端にシール部材を介して装着された栓部材とを有する釣竿であって、上記栓部材は、上記後端部に嵌め込まれる軸部と、当該軸部よりも大径に形成された頭部とを有し、上記シール部材は、上記軸部に外嵌される筒状部と、当該筒状部に連続して上記頭部の上記軸部側端面を覆うフランジ部とを有することを特徴とするものである。
【００１０】
この構成によれば、栓部材の軸部が釣竿本体の後端部に嵌め込まれることによって、栓部材の頭部の軸部側端面が釣竿本体の後端部に当接することになる。栓部材にはシール部材が設けれており、シール部材の筒状部が上記軸部を覆い、且つシール部材のフランジ部が上記軸部側端面を覆う。したがって、栓部材が釣竿本体に装着された状態では、釣竿本体の後端と栓部材との隙間は、上記シール部材によって塞がれる。このことは、仮に釣竿本体の後端外径寸法と釣竿本体に嵌め込まれる栓部材の軸部の外径寸法との間に大きな差がある場合であっても同様である。よって、釣竿本体ないし釣竿本体を構成する節の外径寸法にかかわらず、釣竿の後端部の確実な防水及び防塵が実現される。
【００１１】
(2) また、上記目的が達成されるため、本発明に係る釣竿は、釣竿本体と、釣竿本体の後端部に設けられたグリップと、グリップの後端に嵌め込まれたスリーブと、スリーブの後端にＯリングを介して装着された栓部材とを備え、当該栓部材は、スリーブの後端に嵌め込まれ、外径寸法がスリーブの後端外径寸法よりも１ｍｍ〜３ｍｍ小さく設定された軸部と、外径寸法がグリップの後端外径寸法と略一致された頭部とを有し、上記スリーブの後端外径寸法は、上記グリップの後端外径寸法よりも１ｍｍ〜３ｍｍ小さく設定されていることを特徴とするものである。
【００１２】
この構成によれば、釣竿本体の後端部に設けられたグリップにスリーブが嵌め込まれ、このスリーブに栓部材が装着される。このとき、栓部材の軸部の外径寸法と、栓部材の頭部の外径寸法との間には、２ｍｍ〜６ｍｍの寸法差が生じる。したがって、栓部材が装着された状態では、グリップと上記軸部との間には、最大深さ３ｍｍの周溝状の隙間が生じるのみである。この栓部材は、Ｏリングを介してスリーブに取り付けられるから、当該Ｏリングによって上記隙間は埋められる。よって、釣竿本体ないし釣竿本体を構成する節の外径寸法及びグリップの外径寸法にかかわらず、釣竿の後端部の確実な防水及び防塵が実現される。
【００１３】
上記スリーブは、上記釣竿本体の後端を位置決めする位置決め部を備えているのが好ましい。この構成では、グリップに対して釣竿本体が確実に位置決めされるので、釣竿本体へのグリップの取付作業ひいては釣竿の組立作業が容易になる。
【発明の効果】
【００１４】
本発明によれば、釣竿本体ないし釣竿本体を構成する節の外径寸法にかかわらず、また、グリップが設けられる場合においてはグリップの外径寸法にかかわらず、栓部材が設けられた部位の防水及び防塵が実現される。したがって、例えば渓流用釣竿のように、グリップの外径寸法と釣竿本体の外径寸法との差が大きい釣竿であっても、その後端部の防水及び防塵が実現される。
【発明を実施するための最良の形態】
【００１５】
以下、適宜図面が参照されつつ、好ましい実施形態に基づいて本発明が詳細に説明される。
【００１６】
＜第１の実施形態＞
図１は、本発明の第１の実施形態に係る釣竿の正面図である。
この釣竿２０は、渓流釣りに使用されるものであって、その仕様は、毛針のキャストに適したものである。なお、本発明は、かかる渓流用釣竿にのみ適用されるものではなく、釣竿一般に適用され得るものであることは言うまでもない。
【００１７】
釣竿２０は、グリップ２２を備えた釣竿本体２１を有する。グリップ２２は、釣人が釣竿２０を把持する部分である。グリップ２２には、後に詳述される尻栓２３（栓部材）が装着されている。
【００１８】
釣竿本体２１は、６本の節２４〜２９を有する。これら各節２４〜２９は、振出式に組み立てられている。各節２４〜２９は、釣竿本体２１の先端側から順に第１番節２４、第２番節２５と称される。第６番節２９は、特に「元節」と称されることがある。各節２４〜２９は、既知の要領で構成される。例えば、シート状の炭素繊維強化樹脂（カーボンプリプレグ）が所定形状に裁断され、これが筒状に巻回焼成されることによって、円筒状の各節２４〜２９が形成される。なお、この第１番節２４は、中実構造が採用されることもある。また、第１番節２４の先端には釣糸連結部３０が設けられている。釣糸連結部３０は、既知の構造であって、例えば組紐等により構成される。
【００１９】
図２は、釣竿２０の後端部の一部断面拡大分解図である。また、図３は、釣竿２０の後端部の要部拡大分解斜視図である。
グリップ２２は、コルクまたはエチレン酢酸ビニル共重合体（ＥＶＡ）からなり、筒状に形成されている。釣人は、グリップ２３を把持して釣竿２０を操作するものであるから、グリップ２２の外形形状は、釣人が握りやすいように略紡錘形等に形成される。もっとも、グリップ２２は、他の外形形状に形成されていてもよい。
【００２０】
図２が示すように、釣竿本体２１の元節２９の後端部は、グリップ２２の内部に挿通されている。グリップ２２の内径寸法ｄ１は、元節２９の外径寸法に対応されており、これにより、元節２９は、隙間なくグリップ２２に挿通されている。釣竿２０は、毛針仕様であることから、元節２９の外径寸法はきわめて細く、６ｍｍ〜１３ｍｍ程度に設定される。これに対して、グリップ２２は、釣人にとって握りやすいように、その外径寸法ｄ２は、２３ｍｍ〜２８ｍｍに設定される。また、グリップ２２の後端には、ねじ孔３１が設けられている。このねじ孔３１に上記尻栓２３がねじ込まれるようになっている。
【００２１】
尻栓２３は、尻栓本体３２とシール部材３３とを備えている。尻栓本体３２は、金属（典型的には、ステンレス鋼（ＳＵＳ３０４、ＳＵＳ３０３等）により構成され、軸部３４と頭部３５とを有する。これらは一体的に形成されている。軸部３４は、円柱状に形成されており、その外径寸法は、上記グリップ２２のねじ孔３１の内径寸法に対応されている。軸部３４の周面にはねじ３６が形成されており、これにより、当該軸部３４は、上記ねじ孔３１にねじ込まれるようになっている。頭部３５は、軸部３４に連続して円盤状に形成されており、その外径寸法は、上記グリップ２２の後端外径寸法ｄ３と略一致されている。したがって、上記軸部３４が上記グリップ２２にねじ込まれたときは、頭部３５の周面は、グリップ２２の周面と滑らかに連続することになる。
【００２２】
シール部材３３は、ゴム又は樹脂（典型的には、ポリエチレン）により構成される。シール部材３３は、筒状部３６とフランジ部３７とを有し、これらは一体的に形成されている。筒状部３６は円筒状に形成されており、その内径寸法は、上記尻栓本体３２の軸部３４の外径形状に対応されている。また、フランジ部３７は、円盤状に形成されている。フランジ部３７は、上記筒状部３６の後端に連続して当該筒状部３６の径方向に展開されている。筒状部３６及びフランジ部３７の肉厚寸法は、０．５ｍｍ〜２．０ｍｍに設定される。シール部材３３は、上記フランジ部３７側から上記尻栓本体３２の軸部３４に被せられるようにして当該尻栓本体３２に装着される。したがって、シール部材３３が尻栓本体３２に嵌め込まれると、上記頭部３５の軸部側端面３８及び上記軸部３４の根本部分（軸部３４と軸部側端面３８との境界部分）がシール部材３３によって被覆されることになる。
【００２３】
本実施形態に係る釣竿２０では、上記尻栓本体３２の軸部３４がグリップ２２のねじ孔３１にねじ込まれることによって、尻栓２３が釣竿本体２１の後端に装着される。このとき、尻栓本体３２の頭部側端面３８は、釣竿本体２１の後端（すなわち、グリップ２２の後端）に当接することになる。前述のように、尻栓本体３２は、シール部材３３によって被覆されているから、シール部材３３の筒状部３６が尻栓本体３２の軸部３４の根本を覆い、且つシール部材３３のフランジ部３７が尻栓本体３２の軸部側端面３８を覆う。したがって、尻栓２３が釣竿本体２１に装着された状態では、釣竿本体２１の後端と尻栓２３との隙間は、上記シール部材３３によって完全に塞がれる。
【００２４】
言い換えれば、本実施形態に係る釣竿２０のように、元節２９の外径寸法とグリップ２２の外径寸法との差が大きく、そのことに起因して尻栓２３の軸部３４の外径寸法と頭部３５の外径寸法との差が大きくなる場合であっても、尻栓２３と釣竿本体２１の後端部との間に隙間が生じることはない。その結果、尻栓２３と釣竿本体２１の後端部との間への水やゴミの侵入が確実に防止される。
【００２５】
なお、本実施形態では、釣竿本体２１とグリップ２２とは、別部材として構成されているが、元節２９の肉厚寸法が長手方向に沿って適当に変化されることによって、元節２９の後端部にグリップが一体的に形成されていてもよいことは勿論である。要するに、釣竿本体の少なくとも後端部が筒状に形成されており、当該後端部に尻栓２３が装着される構造が採用されていればよい。
【００２６】
＜第２の実施形態＞
図４は、本発明の第２の実施形態に係る釣竿の後端部の要部拡大分解斜視図である。
この釣竿４０が上記第１の実施形態に係る釣竿２０と異なるところは、グリップ２２の後端部に長手方向に沿って凹部４１が設けられており、この凹部４１にスリーブ４２が嵌め込まれている点、及び尻栓４３が上記シール部材３３に代えてＯリング４４を介してスリーブ４２にねじ込まれている点である。なお、その他の構成は、上記第１の実施形態に係る釣竿２０と同様である。
【００２７】
上記凹部４１は、同図が示すように、その内壁面形状が円柱状に形成されている。スリーブ４２は、樹脂又は金属（典型的には、ステンレス鋼（ＳＵＳ３０４、ＳＵＳ３０３等））により構成され、円柱状に形成されている。スリーブ４２の外径寸法ｄ４（後端外径寸法）は、凹部４１の内径寸法ｄ５と対応されており、これにより、スリーブ４２は、隙間なく凹部４１に嵌め込まれる。スリーブ４２の内周面には、雌ねじ４９が形成されている。
【００２８】
本実施形態では、スリーブ４２の外径寸法ｄ４とグリップ２２の後端外径寸法ｄ３との差は、２ｍｍに設定されている。すなわち、グリップ２２の後端部の肉厚寸法は１ｍｍである。ただし、上記寸法ｄ４と上記寸法ｄ３との差は、１ｍｍ〜３ｍｍの範囲で適宜設定され得る。また、スリーブ４２の長手方向寸法は、凹部４１の深さ寸法と対応されており、これにより、スリーブ４２が凹部４１に嵌め込まれた状態で、スリーブ４２の後端面４５は、グリップ２２の後端面４６と同一平面上に配置されることになる。
【００２９】
尻栓４３は、上記第１の実施形態に係る尻栓２３と同様に、軸部４７と頭部４８とを有する。頭部４８の形状は、上記尻栓２３の頭部軸部３５と同様であり、その外径寸法は、グリップ２２の後端外径寸法ｄ３と略一致されている。軸部４７の外径寸法ｄ６は、スリーブ４２の内径寸法ｄ７に対応されている。軸部４７の外周面には雄ねじ５０が形成されており、これにより、軸部４７は、スリーブ４２の内部にねじ込まれるようになっている。
【００３０】
本実施形態では、スリーブ４２の外径寸法ｄ４と軸部４７の外径寸法ｄ６との差は、２ｍｍに設定されている。すなわち、スリーブ４２の肉厚寸法は１ｍｍである。ただし、上記寸法ｄ４と上記寸法ｄ６との差は、１ｍｍ〜３ｍｍの範囲で適宜設定され得る。軸部４７の外径寸法ｄ６が前述のように設定されることにより、当該軸部４７の外径寸法ｄ６と上記グリップ２２の後端外径寸法ｄ３との差、すなわち、スリーブ４２の内径寸法ｄ７とグリップ２２の後端外径寸法ｄ３との差は、２ｍｍに設定されている。言い換えると、尻栓本体４３の軸部４７と頭部４８との境界部分には、２ｍｍの段差を有する段部５１が形成され、そして、この段部５１に上記Ｏリング４４が配置される。
【００３１】
本実施形態では、尻栓４３はスリーブ４２を介して尻栓４３が釣竿本体２１に装着される。このとき、尻栓本体４３の軸部４７と頭部４８との境界部分に上記段部５１が形成されるが、この段部によって形成される段差がわずか２ｍｍであるから、当該段部５１は、上記Ｏリング４４によって確実に埋められる。よって、本実施形態に係る釣竿４０においても、上記第１の実施形態に係る釣竿２０と同様に、尻栓４３と釣竿本体２１の後端部との間に隙間が生じることはなく、その結果、尻栓４３と釣竿本体２１の後端部との間への水やゴミの侵入が確実に防止される。
【００３２】
次に、本実施形態の変形例について説明される。
図５は、本実施形態の変形例に係る釣竿６０の要部拡大断面図であって、釣竿６０の後端部の構造が図示されている。
【００３３】
この変形例に係る釣竿６０が上記釣竿４０と異なるところは、スリーブ６１の構造である。具体的には、上記釣竿４０では、スリーブ４２は単純な円柱状に形成されていたのに対し、本変形例に係る釣竿６０では、スリーブ６１は、全体として円柱状に形成されているが、内径寸法が異なる２つの孔６２、６３が設けられており、両者が連通されている点である。なお、釣竿６０のその他の構成については、上記釣竿４０と同様である。
【００３４】
スリーブ６１は、グリップ２２の後端部に嵌め込まれており、グリップ２２の後端側に大径の孔６２が設けられ、元節２９側に小径の孔６３（位置決め部）が設けられている。この孔６３の内径寸法は、元節２９の外径寸法に対応されている。このため、元節２９は、その後端部が孔６３に圧入されるようになっている。つまり、この孔６３は、元節２９を所定位置に位置決め保持する。
【００３５】
このように、本変形例に係る釣竿６０では、上記スリーブ６１が元節２９を位置決め保持することができるので、元節２９にグリップ２２を装着する作業、ひいては釣竿６０の組立作業が容易になるという利点がある。なお、元節２９がスリーブ６１に位置決めされるために、本変形例では、上記孔６３の内径寸法は、元節２９が圧入されるような公差で仕上げられている。ただし、これに代えて、例えば、孔６３の所定位置に、元節２９の後端が当接する位置決め部材が設けられていてもよい。
【産業上の利用可能性】
【００３６】
本発明は、釣竿一般に適用され得る。
【図面の簡単な説明】
【００３７】
【図１】図１は、本発明の第１の実施形態に係る釣竿の正面図である。
【図２】図２は、本発明の第１の実施形態に係る釣竿の後端部の一部断面拡大分解図である。
【図３】図３は、本発明の第１の実施形態に係る釣竿の後端部の要部拡大分解斜視図である。
【図４】図４は、本発明の第２の実施形態に係る釣竿の後端部の要部拡大分解斜視図である。
【図５】図５は、本発明の第２の実施形態の変形例に係る釣竿の要部拡大断面図である。
【図６】図６は、従来の一般的な釣竿の正面図である。
【図７】図７は、従来の一般的な釣竿の要部拡大断面図である。
【図８】図８は、従来の渓流用釣竿の要部拡大断面図である。
【符号の説明】
【００３８】
ｄ１・・・グリップの内径寸法
ｄ２・・・グリップの外径寸法
ｄ３・・・グリップの後端外径寸法
ｄ４・・・スリーブの外径寸法
ｄ５・・・凹部の内径寸法
ｄ６・・・軸部の外径寸法
ｄ７・・・スリーブの内径寸法
２０・・・釣竿
２１・・・釣竿本体
２２・・・グリップ
２３・・・尻栓
２９・・・元節
３１・・・ねじ孔
３２・・・尻栓本体
３３・・・シール部材
３４・・・軸部
３５・・・頭部
３６・・・筒状部
３７・・・フランジ部
３８・・・軸部側端面
４０・・・釣竿
４１・・・凹部
４２・・・スリーブ
４３・・・尻栓
４４・・・Ｏリング
４５・・・後端面
４６・・・後端面
４７・・・軸部
４８・・・頭部
４９・・・雌ねじ
５０・・・雄ねじ
５１・・・段部
６０・・・釣竿
６１・・・スリーブ
６２・・・孔
６３・・・孔
【図１】
2005245371.tif 000003
【図２】
2005245371.tif 000004
【図３】
2005245371.tif 000005
【図４】
2005245371.tif 000006
【図５】
2005245371.tif 000007
【図６】
2005245371.tif 000008
【図７】
2005245371.tif 000009
【図８】
2005245371.tif 000010